(57)【要約】【課題】簡易にしかも経時的に安定した給電が可能な給電接点構造及びその構造を備えた空気清浄機を提供することを課題とする。【解決手段】本発明の空気清浄機の給電接点構造は、ユニット本体内１００部に高電圧電極１１と接地電極１２とを交互に積層してなり、互いの電極面を共通の金属製の給電接点部材１３で電気接続する電気集塵式空気清浄機の給電接点構造であって、各高電圧電極１１の端部１１ａを湾曲させつつ押し付ける給電接点部材１３と、該給電接点部材１３を係止する係止手段１４とを具備する。【選択図】　　　図１
2004144398.tif 000002
【特許請求の範囲】
【請求項１】
ユニット本体内部に高電圧電極と接地電極とを交互に積層してなり、互いの電極面を共通の金属製の給電接点部材で電気接続する電気集塵式空気清浄機の給電接点構造であって、
各高電圧電極板の一端を湾曲させつつ押し付ける給電接点部材と、該給電接点部材を係止する鉤状の係止手段とを具備することを特徴とする空気清浄機の給電接点構造。
【請求項２】
請求項１において、
上記高電圧電極板の端部が電極面を露出させたくびれ部を有する略Ｔ字形状であり、
ユニット本体の電極長手方向側板に電極積層方向と同方向に開口するスリット部を設け、該スリット部内に上記高電圧電極板の略Ｔ字形状の端子部を挿入して接地電極と交互に積層させ、
スリット部から露出した略Ｔ字形状の端子部をスライド式の給電接点部材の係止により屈曲させつつ押圧して密着させてなることを特徴とする空気清浄機の給電接点構造。
【請求項３】
請求項２において、
上記スライド式の給電接点部材が絶縁性の給電接点カバーに内装されてなり、上記給電点カバーのスライド方向と直交する端部が一体に挿嵌される一対の鉤部からなる係止手段をユニット本体側板のスリット部に沿って対向して設けたことを特徴とする空気清浄機の給電接点構造。
【請求項４】
請求項３において、
上記給電接点カバーの端部が階段状又はくさび状であることを特徴とする空気清浄機の給電接点構造。
【請求項５】
請求項３又は４において、
上記鉤部の係止間隔が給電点カバーの挿入側より挿入先の方が漸次狭くなることを特徴とする空気清浄機の給電接点構造。
【請求項６】
請求項１乃至５のいずれか一つに記載の空気清浄機の給電接点構造を備えたことを特徴とする空気清浄機。
【発明の詳細な説明】
【０００１】
【発明の属する技術分野】
本発明は、高電圧電極を積層し、これに高電圧を印加して高電圧電界にて集塵する空気清浄機の給電接点構造及びそれを用いた空気清浄機に関する。
【０００２】
【従来の技術】
従来、高電圧電極として、図７（ａ）に示すように、ベース用絶縁フィルム１上にカーボン印刷による電極面２を形成し、さらにその上に被覆用絶縁フィルム３を粘着材４にて貼り付けて被覆したフィルム状高電圧電極５を用いる集塵ユニットが提案されている。この集塵ユニットでは、フィルム状高電圧電極５を図示しない接地電極を介在させて積層して給電のための電気接続を行う場合、図７（ｂ）に示すように、フィルム状高電圧電極５の可撓性を利用して、その端部に共通の金属製の給電接点部材６を押し付けていた（特許文献１）。
【０００３】
しかしながら、フィルム状高電圧電極５の材質が曲がった形状で馴染んでしまい、給電接点部材６との間で十分な接触力が得られず、接触不良になってしまうおそれもあった。
【０００４】
そこで、本出願人は、図８に示すように、各フィルム状高電圧電極７に、電極面２を露出させたくびれ部８ａを有する端子８を一体に延長形成したものを提案した。そして、図９に示すように、くびれ部８ａに曲げを生じさせるスリット９ａを有するガイド９を用い、上記端子８に給電接点部材６を押し付けてくびれ部８ａで端子を湾曲させ、その状態で膨大部８ｂを押し付け面接触させている。
そして、図１０に示すように、給電接点部材６を覆う給電接点カバー１０を矢印方向からネジ固定してなる空気清浄機を提案し（特許文献２）、フィルム状高電圧電極相互の間隔が不均一になることを防止した。
【０００５】
【特許文献１】
実公平０２−３３８８１号公報
【特許文献２】
特開２００２−１９２０１５号公報
【０００６】
【発明が解決しようとする課題】
しかしながら、特許文献２の提案を実施する場合、先ず積層された高電圧電極の一端に給電接点部材６を押し当てつつ電極積層方向の上方から挿入し、電極の端子８を屈曲させた後、ネジ締付け工程によって給電接点を電極端部に圧接させることにより充分な接触力を確保し、経時的なフィルム変形があっても通電に不具合が生じないようにしていたが、ネジ締付け工程は、高電圧電極板の積層を組付けする工程であるユニット本体の組付け方向と９０度異なる側面方向からネジ締め固定するので、Ｘ軸とＹ軸の治具を必要とし、組付け方向における作業効率が悪いという問題がある。
【０００７】
本発明は、上記問題に鑑み、簡易にしかも経時的に安定した給電が可能な給電接点構造及びその構造を用いた空気清浄機を提供することを課題とする。
【０００８】
【課題を解決するための手段】
前記課題を解決する第１の発明は、ユニット本体内部に高電圧電極と接地電極とを交互に積層してなり、互いの電極面を共通の金属製の給電接点部材で電気接続する電気集塵式空気清浄機の給電接点構造であって、各高電圧電極板の一端を湾曲させつつ押し付ける給電接点部材と、該給電接点部材を係止する鉤状の係止手段とを具備することを特徴とする空気清浄機の給電接点構造にある。
【０００９】
第２の発明は、第１の発明において、上記高電圧電極板の端部が電極面を露出させたくびれ部を有する略Ｔ字形状であり、ユニット本体の電極長手方向側板に電極積層方向と同方向に開口するスリット部を設け、該スリット部内に上記高電圧電極板の略Ｔ字形状の端子部を挿入して接地電極と交互に積層させ、スリット部から露出した略Ｔ字形状の端子部をスライド式の給電接点部材の係止により屈曲させつつ押圧して密着させてなることを特徴とする空気清浄機の給電接点構造にある。
【００１０】
第３の発明は、第２の発明において、上記スライド式の給電接点部材が絶縁性の給電接点カバーに内装されてなり、上記給電点カバーのスライド方向と直交する端部が一体に挿嵌される一対の鉤部からなる係止手段をユニット本体側板のスリット部に沿って対向して設けたことを特徴とする空気清浄機の給電接点構造にある。
【００１１】
第４の発明は、第３の発明において、上記給電接点カバーの鉤部と係止する端部が階段状又はくさび状であることを特徴とする空気清浄機の給電接点構造にある。
【００１２】
第５の発明は、第３又は４の発明において、上記鉤部の係止間隔が給電点カバーの挿入側より挿入先の方が漸次狭くなることを特徴とする空気清浄機の給電接点構造にある。
【００１３】
第６の発明は、第１乃至５のいずれか一つに記載の空気清浄機の給電接点構造を備えたことを特徴とする空気清浄機にある。
【００１４】
【発明の実施の形態】
以下、本発明の内容を発明の実施形態により詳細に説明するが、本発明はこれに限定されるものではない。
【００１５】
［第１の実施の形態］
図１は本実施形態にかかる空気清浄機の給電接点構造の概略図である。図１（ａ）は給電接点構造の高電圧電極の長手方向の端部の概略側面図であり、図１（ｂ）は給電接点部材と一体に係止した状態を示す概略側面断面図であり、図１（ｃ）は図１（ｂ）の正面図である。
本実施の形態の給電接点構造は、図１（ａ）に示すように、ユニット本体１００内部に高電圧電極１１と接地電極１２とを交互に積層してなり、互いの電極面を共通の金属製の給電接点部材１３で電気接続する電気集塵式空気清浄機の給電接点構造であって、各高電圧電極１１の端部１１ａを湾曲させつつ押し付ける給電接点部材１３と、該給電接点部材１３を係止する鉤状の係止手段１４とを具備するものである。
【００１６】
本実施の形態の形態では、給電接点部材１３を保護する絶縁性の給電接点カバー１５が一体に設けられており、該給電接点カバー１５の一部切欠部１５ａから給電接点部材１３の給電部１３ａが露出し、給電を可能としている。
【００１７】
また、上記給電接点カバー１５の長手方向と直交する端部にはくさび部１５ｂが形成され、上記給電接点部材１３と一体となった給電接点カバー１５を高電圧電極の積層方向の最上部から下方に向かって挿入した際、給電接点部材１３の裏面側で高電圧電極１１の端部１１ａを挿入方向に曲げると共に、給電接点部材１３を端部係止手段１４で係止することにより、側板１０１に対し高電圧電極１１の端部１１ａを一体に圧着するようにしている。
【００１８】
そして、給電接点カバー１５の上部をネジ２１により、締結することで、給電接点部材１３と一体となった給電接点カバー１５をユニット本体１００に取付けることができる。
【００１９】
これにより、ユニット本体１００内に、高電圧電極の積層をする治具の動作方向と、給電接点部材１３の締結の工具の動作方向とが同一方向となり、工程の簡略化を図ることができる。
また、くさび部１５ｂと鉤状の係止部材１４の係止により、係止が確実となる。
【００２０】
また、鉤状の係止部材１４の間隔ｄを下方に行くにつれて徐々に狭くすることで、給電接点カバー１５の挿入が容易であると共に、解体する際における給電接点カバー１５の引き抜きが容易となり、その結果解体作業が容易となり、リサイクル作業の作業効率が向上する。
すなわち、鉤状の係止部材１４の間隔ｄを同じ間隔とすると、給電接点カバー１５を挿入して係止する際には、その挿入力を大きくすることで、係止することは可能であるものの、逆に給電接点カバー１５を引き抜くときには、上部方側に位置する各係止部材がじゃまとなり、引き抜くことが困難となるが、本発明のように係止間隔ｄを下降にいくにつれて漸次狭くすることで、これを解消することができる。
【００２１】
また、上記鉤状の係止部材１４の形状について、入り口側を広くすると共に、その出口側を狭くすることで、くさび部１５ｂを設けることなく、係止することもできる。その場合においても、給電接点カバー１５を階段状とし、下方に行くにつれてその段差部を低くするようにすることで、解体時の給電接点カバー１５の引き抜きを容易にすることができる。
【００２２】
［第２の実施の形態］
図２は本実施形態にかかる給電接点構造を備えた空気清浄機であり、図３は給電接点部材と給電接点カバーとの分解斜視図であり、図４は給電接点構造の断面概略図である。
本実施の形態の空気清浄機は、図２に示すように、ユニット本体１００内においては、前パネル１０２と後パネル１０３とで挟まれた間に高電圧電極と設置電極とが積層されてなり、該高電圧電極の長手方向端部において、本給電接点構造により給電するようにしている。
【００２３】
本実施の形態の給電接点構造は、図４に示すように、ユニット本体１００の側板１０１側にスリット３１を有する極板ガイド３２を設け、該スリット３１内にくびれ部３３を挿入し、端部の膨大部である略Ｔ字形状部３４を上記スリット３１から露出するようにして積層している。本実施の形態ではくびれ部３３と略Ｔ字形状部３４から高電圧電極１１の端部１１ａを構成している。
【００２４】
本実施の形態では、図３、４に示すように、給電接点カバー１５は断面コの字状とし、スライド方向（長手方向）と直交する方向の端部に鍔部１５ｃ、１５ｃを形成している。
【００２５】
この鍔部１５ｃ、１５ｃはスリット３１に沿って相対向して形成された鉤部４１，４１と各々係合するものであり、図２に示すように、下方にいくにつれてその段差部４２の高さを低くしている。本実施の形態では、鉤部４１が３箇所設けられているので、段差部４２を３箇所設けている。
【００２６】
なお、本実施の形態では、図２、図３に示すように、上記給電接点カバー１５内に断面コの字状の給電接点部材１３が一体に内装され、一部切欠部１５ａから給電部１３ａを露出するようにしている。
【００２７】
そして、図２に示すように、給電接点部材１３と一体となった給電接点カバー１５を上方から差し込むことで、高電圧電極１１の端部である電極略Ｔ字形状部３４を曲げつつ挟み込むと共に、給電接点カバー１５の端部に形成した鍔部１５ｃで鉤部４１と係止するようにしている。そして、図４（ｂ）に示すように、極板ガイド３２と給電接点部材１３との間で高電圧電極の端部１１ａの略Ｔ字形状部３４を挟持するようにしている。
【００２８】
本実施の形態では、上記鉤部４１は図５に示すように、給電接点カバー１５の挿入側より挿入先のほうが漸次狭くなるようにその間隔を狭めるようにしている。これにより、給電接点カバー１５を差し込むにつれてその係止を堅固なものとしている。
【００２９】
そして、図６（ａ）に示すように、給電接点カバー１５の差込時には余裕Ｅがあるので、給電接点カバー１５の差込が容易となると共に、差し込んだ後には、図６（ｂ）に示すように、給電接点カバー１５と密着Ｆするので高電圧電極１１の端部１１ａの押さえ込みも強いものとなり、緩むことが解消される。
また、ネジの固定も前パネル１０２側からの一箇所のみの締結ですみ、１方向の治具を用いることでよいので、作業工程が簡略化される。
【００３０】
また、分解性も向上するので、製品廃棄時のマテリアルリサイクル等のリサイクル性の向上にも貢献できる。
【００３１】
【発明の効果】
以上、説明したように、第１の発明は、ユニット本体内部に高電圧電極と接地電極とを交互に積層してなり、互いの電極面を共通の金属製の給電接点部材で電気接続する電気集塵式空気清浄機の給電接点構造であって、各高電圧電極板の一端を湾曲させつつ押し付ける給電接点部材と、該給電接点部材を係止する鉤状の係止手段とを具備するので、給電接点部材と電極端部とが簡易な係止で係止できる。
【００３２】
第２の発明は、第１の発明において、上記高電圧電極板の端部が電極面を露出させたくびれ部を有する略Ｔ字形状であり、ユニット本体の電極長手方向側板に電極積層方向と同方向に開口するスリット部を設け、該スリット部内に上記高電圧電極板の略Ｔ字形状の端子部を挿入して接地電極と交互に積層させ、スリット部から露出した略Ｔ字形状の端子部をスライド式の給電接点部材の係止により屈曲させつつ押圧して密着させてなるので、高電圧電極端部の係止が確実となる。
【００３３】
第３の発明は、第２の発明において、上記スライド式の給電接点部材が絶縁性の給電接点カバーに内装されてなり、上記給電接点カバーのスライド方向と直交する端部が一体に挿嵌される一対の鉤部からなる係止手段をユニット本体側板のスリット部に沿って対向して設けたので、鉤部に給電接点カバーを挿入するだけでその係止が確実に行うことができる。
【００３４】
第４の発明は、第３の発明において、上記給電接点カバーの鉤部と係止する端部が階段状又はくさび状であるので、その係止がより確実となる。
【００３５】
第５の発明は、第３又は４の発明において、上記鉤部の係止間隔が給電点カバーの挿入側より挿入先の方が漸次狭くなるので、給電接点カバーが挿入し易いと共に、引き抜くのが容易となる。
【００３６】
第６の発明は、第１乃至５のいずれか一つに記載の空気清浄機の給電接点構造を備えたので、製造が容易となると共に、解体時には、簡易に解体が可能となるので、リサイクル効率が向上する。
【図面の簡単な説明】
【図１】第１の実施形態の空気清浄機の給電接点構造の概略図である。
【図２】第２の実施の形態の空気清浄機ユニットの概略図である。
【図３】給電接点部材と給電接点カバーの斜視図である。
【図４】第２の実施形態の空気清浄機の給電接点構造の概略図である。
【図５】鉤部の概略図である。
【図６】鉤部に給電接点カバーを挿入する状態の概略図である。
【図７】高電圧電極の断面概略図である。
【図８】高電圧電極の端部概略図である。
【図９】高電圧電極端部に対し給電接点部材を押圧している状態図である。
【図１０】従来技術にかかる空気清浄機ユニットの概略図である。
【符号の説明】
１１　高電圧電極
１２　接地電極
１３　給電接点部材
１４　鉤状の係止手段
３１　スリット
３２　極板ガイド
３３　くびれ部
３４　略Ｔ字形状部
４１　鉤部
４２　段差部
１００　ユニット本体内
１０１　側板
１０２　前パネル
１０３　後パネル
【図１】
2004144398.tif 000003
【図２】
2004144398.tif 000004
【図３】
2004144398.tif 000005
【図４】
2004144398.tif 000006
【図５】
2004144398.tif 000007
【図６】
2004144398.tif 000008
【図７】
2004144398.tif 000009
【図８】
2004144398.tif 000010
【図９】
2004144398.tif 000011
【図１０】
2004144398.tif 000012